【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
側面部と底面部とを有し、かつ、底面部の端部に曲面部を備える中間成形品に基づき製造される完成品構造体の製造方法において、
前記中間成形品の側面部が外側に開くのを規制しつつ、前記曲面部に対して前記曲面部に曲率が小さくなる方向に外力を加えることによって前記構造体を製造することを特徴とする完成品構造体の製造方法。
【請求項２】
前記中間成形品は合わせ目を有し、前記合わせ目がスプリングバック力によって密着されることを特徴とする請求項１に記載の完成品構造体の製造方法。
【請求項３】
前記中間成形品は、その側面部とその底面部との為す角度が完成品構造体の側面部と底面部との為す角度よりも大きいことを特徴とする請求項２に記載の完成品構造体の製造方法。
【請求項４】
前記中間成形品は、前記合わせ目を有する部分に係合突起が形成されていることを特徴とする請求項１ないし請求項３のいずれか１項に記載の完成品構造体の製造方法。
【請求項５】
前記完成品構造体としてパイプ体を製造することを特徴とする請求項１に記載の完成品構造体の製造方法。
【請求項６】
前記曲面部が突形状であることを特徴とする請求項５に記載の完成品構造体の製造方法。
【請求項７】
合わせ目を有する構造体の製造方法であって、前記合わせ目がスプリングバック力により密着されることを特徴とする完成品構造体の製造方法。
【請求項８】
側面部と底面部とを有し、かつ、底面部の端部に曲面部を備える中間成形品に基づき製造される完成品構造体において、
前記（中間）成形品の側面部が外側に開くのを規制しつつ、前記曲面部に対して前記曲面部に曲率が小さくなる方向に外力を加えることによって製造された完成品構造体。
【請求項９】
前記中間成形品は合わせ目を有し、前記合わせ目がスプリングバック力によって密着されていることを特徴とする請求項８に記載の完成品構造体。
【請求項１０】
前記中間成形品は、その側面部とその底面部との為す角度が完成品構造体の側面部と底面部との為す角度よりも大きいことを特徴とする請求項９に記載の完成品構造体。
【請求項１１】
前記中間成形品は、前記合わせ目を有する部分に係合突起が形成されていることを特徴とする請求項８ないし請求項１０のいずれか１項に記載の完成品構造体。
【請求項１２】
パイプ体であることを特徴とする請求項８に記載の完成品構造体。
【請求項１３】
前記曲面部が突形状であることを特徴とする請求項８に記載の完成品構造体。
【請求項１４】
合わせ目がスプリングバック力によって密着されていることを特徴とする請求項９に記載の完成品構造体。
【請求項１５】
請求項８ないし請求項１４のいずれか１項に記載の構造体を有する支持部材。
【請求項１６】
請求項１５の支持部材を有するフレーム構造体。
【請求項１７】
請求項１６のフレーム構造体を有する画像形成装置。
【請求項１８】
矩形状の金属プレートを素材として合わせ目を有しかつ閉断面が円形状のパイプ体を形成するために、前記金属プレートを湾曲させることにより前記金属プレートの合わせ目が非密着状態でかつその一対の辺が延びる方向に長く延びてしかも外方に向かって凸曲面部を有する湾曲中間成形品を形成し、次いで、側方の力を維持しながら、前記凸曲面部にその曲率が小さくなる方向に外力を加えて前記湾曲中間成形品を変形させることにより、前記凸曲面部が元の形状に戻ろうとするスプリングバック力に基づき前記合わせ目が密着したパイプ体を形成することを特徴とするパイプ体の製造方法。
【請求項１９】
矩形状の金属プレートを素材として複数個の構成壁部と合わせ目とを有しかつ閉断面が角形状のパイプ体を製造するための製造方法であって、
前記金属プレートの一対の辺部の少なくとも一方をその辺の延びる方向に沿って起立させることによって前記合わせ目が属する合わせ目構成壁部を形成する第１加工ステップと、
前記合わせ目構成壁部以外の残余の構成壁部を形成すると共に前記合わせ目が非密着状態でしかも残余の構成壁部のうちの一構成壁部と該一構成壁部に隣接する隣接面構成壁部との為す角度が前記パイプ体を完成させたときの角度よりも大きな中間成形品を形成する第２加工ステップと、
前記隣接面構成壁部に外力を加えて前記一構成壁部に外方に向かって膨らんだ凸曲面部を形成すると共に前記合わせ目構成壁部の合わせ目を密着させる第３加工ステップと、
前記側面構成壁部への加圧力を保持させた状態で、前記一構成壁部に外力を加えて前記凸曲面部を平坦に変形させることによって前記一構成壁部が元の凸曲面形状に戻ろうとするスプリングバック力に基づき前記一対の辺が互いに密着したパイプ体を形成する第４加工ステップと、
を含むことを特徴とするパイプ体の製造方法。
【請求項２０】
底面構成壁部と、該底面構成壁部に隣接する一対の側面構成壁部と、前記底面構成壁部に対向して合わせ目が属する上面構成壁部とを有し、矩形状の金属プレートを素材として形成され、かつ、前記合わせ目がスプリングバック力に基づき密接され、しかも、前記各構成壁部は長手方向に延びているパイプ体。
【手続補正２】
【補正対象書類名】明細書
【補正対象項目名】発明の名称
【補正方法】変更
【補正の内容】
【発明の名称】  完成品構造体の製造方法及び完成品構造体及び完成品構造体を用いた支持部材及び支持部材からなるフレーム構造体及びこれを有する画像形成装置及びパイプ体の製造方法及びパイプ体
【手続補正３】
【補正対象書類名】明細書
【補正対象項目名】００１１
【補正方法】変更
【補正の内容】
【００１１】
請求項１に記載の発明は、側面部と底面部とを有し、かつ、底面部の端部に曲面部を備える中間成形品に基づき製造される完成品構造体の製造方法において、
前記中間成形品の側面部が外側に開くのを規制しつつ、前記曲面部に対して前記曲面部に曲率が小さくなる方向に外力を加えることによって前記構造体を製造することを特徴とする完成品構造体の製造方法である。
請求項２に記載の発明は、前記中間成形品は合わせ目を有し、前記合わせ目がスプリングバック力によって密着されることを特徴とする請求項１に記載の完成品構造体の製造方法である。
請求項３に記載の発明は、前記中間成形品は、その側面部とその底面部との為す角度が完成品構造体の側面部と底面部との為す角度よりも大きいことを特徴とする請求項２に記載の完成品構造体の製造方法である。
請求項４に記載の発明は、前記中間成形品は、前記合わせ目を有する部分に係合突起が形成されていることを特徴とする請求項１ないし請求項３のいずれか１項に記載の完成品構造体の製造方法である。
請求項５に記載の発明は、前記完成品構造体としてパイプ体を製造することを特徴とする請求項１に記載の完成品構造体の製造方法である。
請求項６に記載の発明は、前記曲面部が突形状であることを特徴とする請求項５に記載の完成品構造体の製造方法である。
請求項７に記載の発明は、合わせ目を有する構造体の製造方法であって、前記合わせ目がスプリングバック力により密着されることを特徴とする構造体の製造方法である。
請求項８に記載の発明は、側面部と底面部とを有し、かつ、底面部の端部に曲面部を備える中間成形品に基づき製造される完成品構造体において、
前記中間成形品の側面部が外側に開くのを規制しつつ、前記曲面部に対して前記曲面部に曲率が小さくなる方向に外力を加えることによって製造された完成品構造体である。
請求項９に記載の発明は、前記中間成形品は合わせ目を有し、前記合わせ目がスプリングバック力によって密着されていることを特徴とする請求項８に記載の完成品構造体である。
請求項１０に記載の発明は、前記中間成形品は、その側面部とその底面部との為す角度が完成品構造体の側面部と底面部との為す角度よりも大きいことを特徴とする請求項９に記載の完成品構造体である。
請求項１１に記載の発明は、前記中間成形品は、前記合わせ目を有する部分に係合突起が形成されていることを特徴とする請求項８ないし請求項１０のいずれか１項に記載の完成品構造体である。
請求項１２に記載の発明は、パイプ体であることを特徴とする請求項８に記載の完成品構造体である。
請求項１３に記載の発明は、前記曲面部が突形状であることを特徴とする請求項８に記載の完成品構造体である。
請求項１４に記載の発明は、合わせ目がスプリングバック力によって密着されていることを特徴とする請求項９に記載の完成品構造体である。
請求項１５に記載の発明は、請求項８ないし請求項１４のいずれか１項に記載の構造体を有する支持部材である。
請求項１６に記載の発明は、請求項１５の支持部材を有するフレーム構造体である。
請求項１７に記載の発明は、 請求項１６のフレーム構造体を有する画像形成装置である。
請求項１８に記載の発明は、矩形状の金属プレートを素材として合わせ目を有しかつ閉断面が円形状のパイプ体を形成するために、前記金属プレートを湾曲させることにより前記金属プレートの合わせ目が非密着状態でかつその一対の辺が延びる方向に長く延びてしかも外方に向かって凸曲面部を有する湾曲中間成形品を形成し、次いで、側方の力を維持しながら、前記凸曲面部にその曲率が小さくなる方向に外力を加えて前記湾曲中間成形品を変形させることにより、前記凸曲面部が元の形状に戻ろうとするスプリングバック力に基づき前記合わせ目が密着したパイプ体を形成することを特徴とするパイプ体の製造方法である。
請求項１９に記載の発明は、矩形状の金属プレートを素材として複数個の構成壁部と合わせ目とを有しかつ閉断面が角形状のパイプ体を製造するための製造方法であって、
前記金属プレートの一対の辺部の少なくとも一方をその辺の延びる方向に沿って起立させることによって前記合わせ目が属する合わせ目構成壁部を形成する第１加工ステップと、
前記合わせ目構成壁部以外の残余の構成壁部を形成すると共に前記合わせ目が非密着状態でしかも残余の構成壁部のうちの一構成壁部と該一構成壁部に隣接する隣接面構成壁部との為す角度が前記パイプ体を完成させたときの角度よりも大きな中間成形品を形成する第２加工ステップと、
前記隣接面構成壁部に外力を加えて前記一構成壁部に外方に向かって膨らんだ凸曲面部を形成すると共に前記合わせ目構成壁部の合わせ目を密着させる第３加工ステップと、
前記側面構成壁部への加圧力を保持させた状態で、前記一構成壁部に外力を加えて前記凸曲面部を平坦に変形させることによって前記一構成壁部が元の凸曲面形状に戻ろうとするスプリングバック力に基づき前記一対の辺が互いに密着したパイプ体を形成する第４加工ステップと、
を含むことを特徴とするパイプ体の製造方法である。
請求項２０に記載の発明は、底面構成壁部と、該底面構成壁部に隣接する一対の側面構成壁部と、前記底面構成壁部に対向して合わせ目が属する上面構成壁部とを有し、矩形状の金属プレートを素材として形成され、かつ、前記合わせ目がスプリングバック力に基づき密接され、しかも、前記各構成壁部は長手方向に延びているパイプ体である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】削除
【補正の内容】